【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
釣糸を係止するために穂先竿の穂先側先端に装着され、釣糸を係止する釣糸係止具であって、
穂先竿の穂先側先端に装着された本体部と、
前記本体部の穂先側端部に突出して取付けられた管状部と、
その管状部に回転自在に嵌められて取付けられた球体と、
全体としてその球体表面より内部に収まるように、その球体に設けられ、釣糸を直接その球体に係止するための係止手段と
を備えていることを特徴とする釣糸係止具。
【請求項２】
前記球体の一部は、穂先側先端方向に前記管状部から突出して備えられていることを特徴とする請求項１に記載の釣糸係止具。
【請求項３】
前記係止手段は、前記球体に一端を連結して形成した、釣糸を結び付けるための結着部と、
その結着部の他端方向に設けられ、前記結着部に結び付けられた釣糸の移動を制限する係止部と
を備えることを特徴とする請求項１または請求項２に記載の釣糸係止具。
【請求項４】
前記係止手段は、前記球体の中心を貫通して形成された孔部と、
前記管状部の側壁に形成された開口部と、
前記孔部に貫通させた釣糸を前記開口部に導く通路部と
を備えることを特徴とする請求項１または請求項２に記載の釣糸係止具。
【請求項５】
前記球体は、着脱可能な第２の係止手段をさらに備えていることを特徴とする請求項４に記載の釣糸係止具。
【請求項６】
前記球体は、螺孔を備え、
前記第２の係止手段は、釣糸を結び付けるための結着部と、その結着部に設けられた雄螺子部とを備え、その雄螺子部を前記螺孔に着脱自在に螺嵌して取付け可能であることを特徴とする請求項５記載の釣糸係止具。
【手続補正２】
【補正対象書類名】明細書
【補正対象項目名】全文
【補正方法】変更
【補正の内容】
【発明の詳細な説明】
【発明の名称】釣糸係止具
【技術分野】
【０００１】
本発明は、釣竿の先端に備えられ、釣糸を結着する釣糸係止具に関するものである。
【背景技術】
【０００２】
うきや釣針，おもり等の付いた仕掛け（以下、単に釣糸と呼ぶ）を直接釣竿の先端に取付けて使用する釣竿には、釣糸を釣竿に係止するための釣糸係止具が備えられている。特開平０７−２７４７７９号公報、特開平１１−２７６０２５号公報に示すように、最近の釣糸係止具には、釣糸が結ばれた部分を回転させるための回転体が備えられている。これは、釣糸が釣竿に絡みついた状態を解消したり、絡みつくのを防止したりするためのものである。
【発明の開示】
【発明が解決しようとする課題】
【０００３】
ところが、特開平１１−２７６０２５号公報の釣糸係止具では、回転体が釣竿の長手方向のみを回転軸としているため、釣糸係止具に結んで垂れ下がった釣糸の縒れを解消したり、防止したりすることができない。また、特開平０７−２７４７７９号公報の釣糸係止具では、釣糸係止具に結んだ状態のとき、釣糸と釣竿とのなす角が小さいとき、例えば、釣針を握って餌を釣針に付けているときや、釣り人のすぐ近くに釣糸を垂らして魚を釣っているときには、釣糸を結んだ部分よりも円筒部を突出させて備えているために、釣糸が円筒部に架かった状態で下方に垂れ下がってしまう。そのため、円筒管が回転体の回転を妨害し、釣糸の縒れを解消したり、釣糸が釣竿に絡みついたりするのを防止できにくくなる。
【０００４】
そこで、さらに、釣糸が釣竿に絡みにくく、絡みついた状態を容易に解消でき、釣糸の縒れを防止することのできる釣糸係止具を提供することを目的とする。
【課題を解決するための手段】
【０００５】
請求項１に記載の第１の発明は、釣糸を係止するために穂先竿の穂先側先端に装着され、釣糸を係止する釣糸係止具であって、穂先竿の穂先側先端に装着された本体部と、前記本体部の穂先側端部に突出して取付けられた管状部と、その管状部に回転自在に嵌められて取付けられた球体と、全体としてその球体表面より内部に収まるように、その球体に設けられ、釣糸を直接その球体に係止するための係止手段とを備えている。
【０００６】
したがって、請求項１に記載の発明によれば、回転部分が球体であるため、球体の回転軸は一定とならないで球体は自由に回転する。釣糸が縒れると、球体は縒れを解消するように回転する。また、釣糸が釣竿に絡みついたとき、係止手段に係止された釣糸を軽く引っ張る、または、釣糸の自重により下向きに力が加わると、球体がその力の加わった方向へ回転し、係止手段もその方向へ向きを変える。次に、釣竿の長手方向を軸として球体が回転し、釣糸の絡みつきを解消することができる。
【０００７】
請求項２に記載の第２の発明は、第１の発明に加え、前記球体の一部が、穂先側先端方向に前記管状部から突出して備えられている。
【０００８】
したがって、請求項２に記載の発明によれば、球体の一部が、穂先側先端方向に管状部から突出して備えられているため、球体に設けられた係止手段の移動範囲を広げることができる。そのため、係止手段は、釣糸にかかる力の方向に可能な限り傾くことになる。その状態で、釣糸が縒れると、球体は縒れを解消するように、係止手段の方向を軸として回転しやすくなる。また、釣糸が釣竿に絡みついたとき、釣糸を張ると、係止手段が釣糸にかかる力の方向に可能な限り傾くため、球体が回転しやすくなり、釣糸の絡みつきをさらに解消することができる。
【０００９】
請求項３に記載の第３の発明は、第１または第２の発明に加え、前記係止手段が、前記球体に一端を連結して形成した、釣糸を結び付けるための結着部と、その結着部の他端方向に設けられ、前記結着部に結び付けられた釣糸の移動を制限する係止部と
を備えている。
【００１０】
したがって、請求項３に記載の発明によれば、釣糸を係止手段に係止する場合には、釣糸に投げ縄結びを作り、その輪に係止部を通過させてから結着部に位置させる。そして、釣糸を引っ張ると投げ縄結びの輪が締まり結着部に結び付けられ釣糸を係止することができる。このとき、釣糸の結び目が結着部をずれて移動しても係止部が結び目の移動を制限し、釣糸が係止手段から外れるのを防ぐ。次に、釣糸を係止手段から取外す場合には、投げ縄結びの輪を広げ、取付ける場合とは逆の手順で結着部から外す。
【００１１】
請求項４に記載の第４の発明は、第１または第２の発明に加え、前記係止手段が、前記球体の中心を貫通して形成された孔部と、前記管状部の側壁に形成された開口部と、前記孔部に貫通させた釣糸を前記開口部に導く通路部とを備えている。
【００１２】
したがって、請求項４に記載の発明によれば、釣糸を係止手段に取付ける場合には、孔部に釣糸を貫通させ、通路部を通し、開口部を通過させる。そして、通過した釣糸の先端に結び目を作って逆方向へ引くと、結び目が球体の孔部に引っ掛かって釣糸を係止することができる。釣糸を係止手段から取外す場合には、釣糸を孔部へ押し込んで結び目を通路部に通して開口部から出させる。そして、結び目を解く、または露出した釣糸を切断して釣糸を逆方向へ引っ張ると釣糸を外すことができる。
【００１３】
請求項５に記載の第５の発明は、第４の発明に加え、前記球体が、着脱可能な第２の係止手段をさらに備えている。
【００１４】
したがって、請求項５に記載の発明によれば、前記係止手段または第２の係止手段のどちらかを選択して釣糸を係止することができる。前記係止手段、または、第２の係止手段には、前述したように釣糸を係止したり取外したりすることが可能となる。
【００１５】
請求項６に記載の第６の発明は、第５の発明に加え、前記球体には、螺孔を備え、
前記第２の係止手段が、釣糸を結び付けるための結着部と、その結着部に設けられた雄螺子部とを備え、その雄螺子部を前記螺孔に着脱自在に螺嵌して取付けられている。
【００１６】
したがって、請求項６に記載の発明によれば、第２の係止手段を用いて釣糸を係止する場合には、結着部に形成された雄螺子部を球体の螺孔に螺嵌して第２の係止手段を取付ける。そして、第２の係止手段の結着部に釣糸を取付ける。ここで、結着部とは、輪部、開口部、または孔部であり、釣糸を結着部に結び付けることのできる全ての形状のことである。前述した係止手段を用いて釣糸を係止する場合には、球体から第２の係止手段を取外して、前述したように係止手段に釣糸を係止する。
【発明の効果】
【００１７】
第１の発明によると、釣糸係止具に結び付けられた釣糸を張ることにより容易に釣糸の絡み、釣糸の縒れを解消することができる。また、釣竿の使用中でも、釣糸が釣竿に絡むのを防止しするとともに、釣糸の縒れを防止することができる。
【００１８】
第２の発明によると、第１の発明の効果に加え、球体に設けられた係止手段の移動範囲が広がり、釣糸係止具に結び付けられた釣糸を張ると、さらに、容易に釣糸の絡み、釣糸の縒れを解消することができる。また、釣竿の使用中でも、釣糸が釣竿に絡むのを防止しするとともに、釣糸の縒れを防止することができる。
【００１９】
第３または第４の発明によると、第１または第２の発明の効果に加え、釣糸を容易に取付け、取外すことができる。
【００２０】
第５または第６の発明によると、第４の発明の効果に加え、前記係止手段と第２の係止手段とを状況に応じて、または、自分の好みにより使い分けることができる。
【発明を実施するための最良の形態】
【００２１】
（第１実施形態）
以下、本発明を具体化した一実施形態を図１及び図２に従って説明する。
図１に示すように釣竿係止具は、ステンレス、真鍮、アルミニウム等錆びにくい金属でできており、釣竿１の穂先側先端に装着された、本体部としての係止具本体２と、その係止具本体２の穂先側端部に突出して取付けられた、管状部としての円筒管３と、その円筒管３に回転自在に嵌められて取付けられた球体４と、その球体４に設けられ、釣糸を係止するための第２の係止手段としての結着具５とを備えている。
【００２２】
係止具本体２は、円柱形状に形成されている。その一方には、３列の溝６が形成され、釣竿１の穂先側先端に装着されて取付けられている。係止具本体２の他方には係止具本体２の穂先側端部に突出するように円筒管３が嵌められて取付けられている。円筒管３の側壁には、開口部としての、円形の開口７が形成されている。ここで、円筒管３の穂先側端部は、丸められたり、ラッパ形状に形成されたりしていてもよい。係止具本体２には、断面が円形であり、係止具本体２の一端から軸方向へ向かい開口７に繋がる、通路部としての通路孔８が形成されている。通路孔８は釣糸が通りやすいように緩やかに曲がっている。開口７と、通路孔８の断面形状とは、同じ大きさの円形形状に形成されている。通路孔８、その経路の形状及び開口７は、釣糸が通り易い形状であればどのように形成されていてもよい。
【００２３】
円筒管３の端部内壁周囲には、円筒管３から穂先側先端方向に一部を可能な限り突出させて、球体４を回転自在に嵌めこんで取付けることができるように、湾曲して形成された球体うけ溝９を備えている。その球体うけ溝９に球体４が回転自在に取付けられている。球体４には、その中心を貫通するように、孔部としての係止孔１０が形成されている。係止孔１０の直径は、取付けられる釣糸の直径より大きく釣糸の結び目の直径より小さい。また、球体４には、前記係止孔１０と中心軸を同じくして螺刻された螺孔１１が形成されている。螺孔１１の位置は、特に係止孔１０の位置と同じ位置に形成されていなくてもよい。
【００２４】
結着具５は、Ｕ字状に曲折された棒状の結着部１２と、その結着部１２の一端に設けられ、雄螺子部としての、螺刻された螺子棒１３と、その結着部１２の他端に形成された球形の係止部１４とからなっている。そして、球体４の螺孔１１に螺子棒１３は着脱可能に螺挿されて取付けることができる。結着部１２は、棒状に限らず、例えば、細い板状のもので形成されていてもよい。結着部１２の形状も直線状に形成されたり、円を描くように曲げられて形成されたり、円を描いた後捩れるように形成されていてもよい。係止部１４は、球形に限らず、結び付けられた釣糸の移動を制限することができれば、つまり、結ばれた釣糸が結着部１２から外れないようにする形状であれば、どのような形状に形成されてもよい。
【００２５】
次に、上記のように構成された本実施形態の作用及び効果について説明する。
釣糸を結着具５に取付ける場合には、釣糸に投げ縄結びを作り、その輪に係止部１４を通過させてから曲折された結着部１２に位置させる。そして、釣糸を引っ張ると投げ縄結びの輪が締まり結着部１２に結び付けられる。このとき、釣糸の結び目が結着部１２をずれて移動しても係止部１４が結び目の移動を制限し、釣糸が結着具５から外れない。次に、釣糸を結着具５から取外す場合には、投げ縄結びの輪を広げると、取付ける場合とは逆の手順で結着具５から外すことができる。
【００２６】
図２に示すように釣糸を球体４の係止孔１０に取付ける場合には、係止孔１０に釣糸１６を貫通させ、通路孔８を通して、開口７から出させる。このとき、釣糸が細く、結び目を作ったとき、係止孔１０の直径よりも結び目が小さくなる場合には、結び目より小さい孔を有するもの、ここではビーズを釣糸１６に通す。そして、釣糸１６の先端に結び目１５を作って逆方向へ引くと、結び目１５またはビーズが係止孔１０に引っ掛かって釣糸１６を係止することができる。釣糸１６を係止孔１０から取外す場合には、釣糸１６を係止孔１０へ押し込む。そして、係止孔１０に係止されていた結び目１５を通路孔８に通過させ開口７から出させる。そして、出てきた結び目１５を解く、または切断して釣糸を逆方向へ引っ張ると外すことができる。
【００２７】
球体４は、回転軸を一定としないため球体４は自在に回転する。釣糸が縒れると、釣糸による縒れを解消しようとする力をうけて、釣糸の垂れ下がった方向を軸として球体４は回転する。そのため、釣糸の縒れを解消することができる。また、釣糸が釣竿１に絡みついたとき、結着具５に係止された釣糸を引っ張ると、球体４がその方向へ回転し、結着具５が引っ張った方向へ向きを変える。そして、さらに引っ張られると、その張力によって釣竿１の長手方向を軸として球体４が回転し、釣糸の絡みつきを解消することができる。また、従来の釣竿で行なわれているように、釣竿１を釣糸の絡みつきを解消する方向へ回すように煽ることにより、釣糸の縒れが解消する方向に球体４が回転し、容易に絡みつきを解消することができる。
【００２８】
したがって、本実施形態の釣糸係止具を利用すれば、従来の釣糸係止具と比較して、さらに、釣糸が釣竿１に絡むのを防止し、また、釣糸の縒れを防止することができる。また、結着具５に取付けるか、または球体４の係止孔１０に取付けるかどちらか好きな方を選択して使用することができる。結着具５や係止孔１０を使用することにより釣糸を容易に取付け、取外すことができる。
【００２９】
（第２実施形態）
次に、別の一実施形態について図３及び図４を用いて説明する。
図３に示すように釣竿係止具は、金属製であり、釣竿１の穂先側先端に装着された、本体部としての係止具本体２と、その係止具本体２の穂先側端部に突出して取付けられた、管状部としての円筒管３と、その円筒管３に回転自在に嵌められて取付けられた球体４と、その球体４に設けられ、釣糸を係止するための係止手段としての結着具５とを備えている。
【００３０】
係止具本体２は、円柱形状をしており、一方には、釣竿１に嵌められて取付けられている。係止具本体２の他方には１列の係止溝２０が形成されている。円筒管３の内壁には、リング状の突起２１が形成されおり、この突起２１は前記係止溝２０に嵌められ、円筒管３は回転可能に係止具本体２に取付けられている。円筒管３の穂先側端部には、突片としての、内側に湾曲した３つの支持片２２が形成されている。支持片２２は３つに限定されず、複数であればいくつであってもよい。
【００３１】
円筒管３の端部内壁周囲、及び前記３つの支持片２２は、円筒管から穂先側先端方向に一部が突出しており、球体４を回転自在に嵌めこんで取付けることができるように、湾曲して形成された球体うけ溝９を備えている。その球体うけ溝９に、一部を切断された球体４が回転自在に取付けられている。球体４の切断面中心から球体４の中心を貫くように孔２３が形成され、切断面の孔２３の入口には、その孔２３の部分より小さい径の孔を有する結着具止め２４を備えている。
【００３２】
結着具５は、球体４の切断された部分に取付けられると、球体４が球体形状となるように形成されたものであって、結着部１２と係止部１４とを備えている。結着具５と球体４とは切断面が合わされて、結着具止め２４の孔にリベット形状の止め具２５を通され、結着具５の切断面中心に接着されている。そのため、結着具５は球体４に対して止め具２５を軸として回転可能である。結着具５と球体４とは回転可能であればどのような取付け方で取付けられてもよい。したがって、一部を切断された球体４と、球体４に取付けられた結着具５とは、全体として球体形状になっており、結着具５が円筒管３に引っ掛かることなく球体４は回転自在である。
【００３３】
次に、上記のように構成された本実施形態の作用及び効果について説明する。
球体４は、回転軸を一定としないで回転する。また、一部を切断された球体４と、球体４に取付けられた結着具５とは、全体として球体形状になっているため、球体４の回転範囲が広がる。さらに、球体４は円筒管３の側壁のみでなく３つの支持片２２によっても円筒管３から穂先側先端方向に一部を可能な限り突出させて回転自在に取付けられている。また、各支持片２２の間には、結着具５や結び付けられた釣糸の移動を阻害するものがない。そのため、球体４に設けられた結着具５の移動範囲がさらに広がる。そのため、釣糸が縒れると、係止手段が釣糸にかかる力の方向に可能な限り傾くため、球体はさらに回転し、釣糸の縒れを解消することができる。
【００３４】
釣糸が縒れると、釣糸による縒れを解消しようとする力をうけて、釣糸の垂れ下がった方向を軸として球体４は回転する。さらに、球体４を補って結着具５も回転する。そのため、釣糸の縒れは解消される。また、釣糸が釣竿１に絡みついたとき、結着具５に係止された釣糸を引っ張ると、球体４が引っ張られた方向へ回転し、結着具５もその方向へ向きを変える。さらに、その張力によって釣竿１の長手方向を軸として球体４または円筒管３が回転し、釣糸の絡みつきを解消することができる。また、従来の釣竿１で行なわれているように、釣竿１を釣糸の絡みつきを解消する方向へ回すように煽ることにより、釣糸の縒れを解消する方向に円筒管３が回転し、容易に絡みつきを解消することができる。
【００３５】
したがって、本実施形態の釣糸係止具を利用すれば、球体４と独立して、結着具５と円筒管３とが回転するため、さらに効果的に釣糸が釣竿１に絡むのを防止し、釣糸の縒れを防止することができる。また、結着具５に結び付けられた釣糸を張ることにより、さらに、容易に釣糸の絡み、釣糸の縒れを解消することができる。釣竿の使用中でも、釣糸が釣竿１に絡むのを防止しするとともに、釣糸の縒れを防止することができる。
【００３６】
本発明の釣糸係止具は、上述した２つの実施形態に限定されない。例えば、釣糸を貫通させて結び付けることのできる輪部、開口部、または孔部を有する結着部としての結着具を第２の係止手段として用いてもよい。例として、結着具としてＵ字状の金属棒の両端を球体に取付けたもの、結着具としてＰ字状に形成された金属棒の一端を球体に取付けたもの、球体に結着具として孔を有する金属板を取付けたもの、それら結着具を回転自在に球体に取付けたもの等である。このようにすると、スナップ金具を使用することにより、さらに容易に釣糸を取付け、取外すことができる。また、球体は、円筒管の穂先側端部に形成された、内側に湾曲した複数の突片と、係止具本体とに回転自在にはさみ付けて取付けられてもよい。
【図面の簡単な説明】
【００３７】
【図１】第１実施形態における一部断面を含む釣糸係止具を示す斜視図
【図２】第１実施形態における釣糸係止具を示す断面図
【図３】第２実施形態における釣糸係止具を示す断面図
【図４】第２実施形態における一部断面を含む釣糸係止具を示す斜視図
【符号の説明】
【００３８】
２    係止具本体
３    円筒管
４    球体
５    係止具
７    開口
８    通路孔
１０  係止孔
１１  螺孔
１２  結着部
１３  螺子棒
１４  係止部